(57)【要約】【課題】シート状画像形成媒体に形成された画像を読み取り、読み取りムラを測定する場合に、シェーディング補正を行うべきか否かの正確な判断を行うことができる読み取りムラ測定装置及び測定プログラムを提供する。【解決手段】  写真フィルムに形成されている画像を走査して読み取るに際し、主走査方向の読み取りムラを測定するための読み取りムラ測定装置であって、測定用の基準ネガフィルムから読み取られた画像データを用いて、主走査方向の原測定データを取得する原データ取得手段２０ａと、取得された測定データからノイズ成分を除去した補正測定データを演算する補正データ取得手段２０ｂと、この補正測定データにより表わされる曲線Ｗ２の変化率を表わす微分曲線Ｗ３を演算する変化率演算手段２０ｄとを備えた。【選択図】図３
2006080608.tif 000002
【特許請求の範囲】
【請求項１】
シート状画像形成媒体に形成されている画像を走査して読み取るに際し、走査方向の読み取りムラを測定するための読み取りムラ測定装置であって、
測定用の基準画像形成媒体から読み取られた画像データを用いて、前記走査方向の原測定データを取得する原データ取得手段と、
取得された測定データからノイズ成分を除去した補正測定データを演算する補正データ取得手段と、
この補正測定データにより表わされる曲線の変化率を表わす微分曲線を演算する変化率演算手段とを備えたことを特徴とする読み取りムラ測定装置。
【請求項２】
前記走査方向に沿って、所定長さの区間を順次設定する区間設定手段を備え、
前記変化率演算手段は、各設定された区間ごとに変化率を演算することを特徴とする請求項１に記載の読み取りムラ測定装置。
【請求項３】
前記変化率演算手段は、各設定された区間に含まれる測定データを用いて、最小二乗法により近似直線を演算し、この近似直線の勾配を前記変化率として求めることを特徴とする請求項２に記載の読み取りムラ測定装置。
【請求項４】
前記変化率の大きさを予め設定してあるしきい値と比較判定する判定手段と、
判定結果を表示させる表示処理手段とを備えていることを特徴とする請求項１〜３のいずれか１項に記載の読み取りムラ測定装置。
【請求項５】
シート状画像形成媒体に形成されている画像を走査して読み取るに際し、走査方向の読み取りムラを測定するための読み取りムラ測定プログラムであって、
測定用の基準画像形成媒体から読み取られた画像データを用いて、前記走査方向の原測定データを取得する処理と、
取得された測定データからノイズ成分を除去した補正測定データを演算する処理と、
この補正測定データにより表わされる曲線の変化率を表わす微分曲線を演算する処理とを実行するコンピュータ読み取り可能な読み取りムラ測定プログラム。
【請求項６】
前記走査方向沿って、所定長さの区間を順次設定する処理と、
各設定された区間ごとに変化率を演算する処理とを実行する請求項５に記載の読み取りムラ測定プログラム。
【請求項７】
各区間に含まれる測定データを用いて、最小二乗法により近似直線を演算し、この近似直線の勾配を前記変化率として求める処理を実行する請求項６に記載の読み取りムラ測定プログラム。
【請求項８】
前記変化率の大きさを予め設定してあるしきい値と比較判定する処理と、
判定結果を表示させる処理とを実行する請求項５〜７のいずれか１項に記載の読み取りムラ測定プログラム。
【発明の詳細な説明】
【技術分野】
【０００１】
本発明は、シート状画像形成媒体に形成されている画像を走査して読み取るに際し、走査方向の読み取りムラを測定するための読み取りムラ測定装置および測定プログラムに関するものである。
【背景技術】
【０００２】
シート状画像形成媒体に形成されている画像を走査して読み取る装置として、フィルムスキャナーが知られている（例えば、下記特許文献１）。フィルムスキャナーは、現像済みの写真フィルム（ネガフィルムやポジフィルム）に形成されているコマ画像を読み取りデジタルデータ化し、この画像データを用いて写真プリントの作成をしたり、ＣＤ−Ｒ等のメディアにデータを記録したりする。フィルムスキャナーは、写真フィルムを搬送経路に沿って一定速度で搬送させるための搬送装置を備えており、搬送面の一方側に読み取り用光源が配置され、他方側にＣＣＤラインセンサーが配置される。ＣＣＤラインセンサーは、写真フィルムの搬送方向に直交する方向（写真フィルムの幅方向であり、主走査方向に相当する。）に沿って、写真フィルムを一定速度で搬送させながら、ＣＣＤラインセンサーにより１ラインずつ走査読み取りを行っている。
【０００３】
かかる走査読み取りにおいて、読み取り用光源（ハロゲンランプ等）や、ＣＣＤラインセンサーの感度ばらつきにより走査方向の読み取りムラが生じる。つまり、読み取り用光源の光源の明るさのムラや、ＣＣＤラインセンサーを構成する個々のＣＣＤ素子の感度のばらつきにより、読み取り誤差を生じ、これが画質に対して悪影響を及ぼす。そのため、この読み取りムラを予め測定しておき、画質に影響を与えるレベルである場合には、いわゆるシェーディング補正を行うようにしている。
【０００４】
上記のような読み取りムラを予めチェックする方法として、例えば、均一な濃度のコマ画像が形成された基準写真フィルムを用意しておき、このコマ画像を読み取ることでチェックを行うことができる。均一な濃度のコマ画像を読み取った場合、どのＣＣＤ素子で読み取ったデータも同じ値になるはずであるが、実際には前述の理由により、ばらつきが生じる。そこで、ＣＣＤラインセンサーにより読み取った読み取りデータをモニター画面に表示させて、オペレータの目視により読み取りムラの程度を判断している。例えば、読み取りデータ値の最大値と最小値との差の大きさに基づいて、シェーディング補正を行うべきか否かを判断することができる。
【０００５】
しかしながら、単にデータ値の最大値と最小値のみから判断していたのでは、正確な判断ができないことがある。例えば、最大値と最小値の差が同じレベルであったとしても、緩やかに変化する場合と、急激に変化する場合とでは、画質に対して与える影響も異なってくる。従って、かかる点を考慮した判定が行えるようにすることが必要である。
【特許文献１】特開２０００−３０７８０５号公報
【発明の開示】
【発明が解決しようとする課題】
【０００６】
本発明は上記実情に鑑みてなされたものであり、その課題は、シート状画像形成媒体に形成された画像を読み取り、読み取りムラを測定する場合に、シェーディング補正を行うべきか否かの正確な判断を行うことができる読み取りムラ測定装置及び測定プログラムを提供することである。
【課題を解決するための手段】
【０００７】
上記課題を解決するため本発明に係る読み取りムラ測定装置は、
シート状画像形成媒体に形成されている画像を走査して読み取るに際し、走査方向の読み取りムラを測定するための読み取りムラ測定装置であって、
測定用の基準画像形成媒体から読み取られた画像データを用いて、前記走査方向の原測定データを取得する原データ取得手段と、
取得された原測定データからノイズ成分を除去した補正測定データを演算する補正データ取得手段と、
この補正測定データにより表わされる曲線の変化率を表わす微分曲線を演算する変化率演算手段とを備えたことを特徴とするものである。
【０００８】
この構成による読み取りムラ測定装置の作用・効果を説明する。測定を行うために、測定用の基準画像形成媒体に形成されている画像を読み取る。データは、走査読み取りにより取得することができる。読み取られた画像データから、走査方向の原測定データを取得する。この原測定データはノイズ成分を含んでいるので、これを除去する処理を行い、補正測定データを演算して取得する。この補正測定データにより表わされる曲線に基づいて読み取りムラを判断することもできるが、さらに、正確に判断を行うために、曲線の変化率を表わす微分曲線を演算して求める。例えば、前述のように濃度が均一な画像を読み取った場合、単にデータの大小のみで判断するのではなく、データの変化の度合いも考慮して判断することができる。その結果、シェーディング補正を行うべきか否かの正確な判断を行うことができる読み取りムラ測定装置を提供することができる。
【０００９】
本発明において、前記走査方向における走査範囲を所定長さの複数区間に分割する区間設定手段を備え、
前記走査方向に沿って、所定長さの区間を順次設定する区間設定手段を備え、
前記変化率演算手段は、各設定された区間ごとに変化率を演算することが好ましい。
【００１０】
かかる区間を設定することで変化率の演算を容易に行うことができ、演算された変化率を走査方向に沿ってプロットすれば、微分曲線を表示させることができる。
【００１１】
本発明において、前記変化率演算手段は、各設定された区間に含まれる測定データを用いて、最小二乗法により近似直線を演算し、この近似直線の勾配を前記変化率として求めることが好ましい。
【００１２】
設定した区間に含まれる測定データに基づいて、最小二乗法により近似直線を求めることができる。この近似直線の勾配は、補正測定データにより表わされる曲線の変化率を表わしている。最小二乗法は、確立された演算手法であり、近似直線を容易に求めることができる。勾配の値を走査方向に沿ってプロットすれば、微分曲線を表示させることができる。
【００１３】
本発明において、前記変化率の大きさを予め設定してあるしきい値と比較判定する判定手段と、
判定結果を表示させる表示処理手段とを備えていることが好ましい。
【００１４】
変化率が大きいということは、読み取りムラの変化の度合いが大きいということであり、画質に対する影響度も大きくなる。そこで、画質に影響を与えるレベルをしきい値として設定しておき、これと比較判定して判定結果を表示させることが好ましい。これにより、オペレータは、シェーディング補正の必要性を容易に判断することができる。
【００１５】
上記課題を解決するため本発明に係る読み取りムラ測定プログラムは、
シート状画像形成媒体に形成されている画像を走査して読み取るに際し、走査方向の読み取りムラを測定するための読み取りムラ測定プログラムであって、
測定用の基準画像形成媒体から読み取られた画像データを用いて、前記走査方向の原測定データを取得する処理と、
取得された測定データからノイズ成分を除去した補正測定データを演算する処理と、
この補正測定データにより表わされる曲線の変化率を表わす微分曲線を演算する処理とを実行することを特徴とするものである。
【００１６】
本発明において、前記走査方向沿って、所定長さの区間を順次設定する処理と、
各設定された区間ごとに変化率を演算する処理とを実行することが好ましい。
【００１７】
本発明において、各区間に含まれる測定データを用いて、最小二乗法により近似直線を演算し、この近似直線の勾配を前記変化率として求める処理を実行することが好ましい。
【００１８】
本発明において、前記変化率の大きさを予め設定してあるしきい値と比較判定する処理と、
判定結果を表示させる処理とを実行することが好ましい。
【００１９】
これらの構成による読み取りムラ測定プログラムの作用・効果は、既に述べた通りである。
【発明を実施するための最良の形態】
【００２０】
本発明に係る読み取りムラ測定装置の好適な実施形態を図面を用いて説明する。まず、読み取りムラ測定装置が用いられる写真処理システムについて、図１により説明する。
【００２１】
＜写真処理システムの構成＞
写真処理システムは、スキャナーＡとプリンタプロセッサーＢとから構成される。スキャナーＡは、現像済みネガフィルム（写真フィルムでありシート状画像形成媒体に相当する。）に形成されているコマ画像を読み取りデジタルデータ化する機能を有する。プリンタプロセッサーＢは、スキャナーＡにより読み取られた画像データに基づいて、写真感光材料であるペーパーに画像を焼付露光し写真プリントを作成する。
【００２２】
画像読み取り対象であるネガフィルムＦは、フィルム搬送ユニットであるネガキャリア１にセットされる。ネガキャリア１には、照射光を通過させるための開口部が設けられている。ネガキャリア１には、ネガフィルムＦを搬送させるために搬送ローラ１ａが搬送経路に沿って設けられている。ネガキャリア１の詳細は後述する。
【００２３】
画像読み取り用光源として、ハロゲンランプ２が設けられている。調光フィルター３は、ハロゲンランプ２から照射される光の色バランスを調整する。調光フィルター３は、ハロゲンランプ２の下方に設けられる。調光フィルター３の下方には、拡散板４が設けられ、照射される光を均一な状態にする。拡散板４は、光路中に挿入されている状態である。ミラートンネル６は、調光フィルター３及び拡散板４を通過した光を均一に混色する機能を有する。
【００２４】
ネガキャリア１の下方には、結像レンズ７が設けられており、ネガフィルムのコマ画像をＣＣＤの素子上に結像させる機能を有する。ミラー８は、可視光を図１の右側に反射させる。ＣＣＤラインセンサー９（画像読取手段）は、可視光によるネガフィルムの透過画像データを読み取るために設けられる。取得された画像データは、画像出力部１０を介して画像処理装置１１へと送信される。
【００２５】
次に、プリンタプロセッサーＢの構成を説明する。ペーパーマガジン１２には、写真感光材料であるペーパーＰがロールの形態で収容されている。ペーパーカッター１３は、ペーパーマガジン１２から引き出されたペーパーＰをプリントサイズに切断する。露光エンジン１４は、画像処理装置１１から送られてくる画像データに基づいて、ペーパーＰの乳剤面に画像を焼付露光する。露光エンジン１４としては、例えば、レーザーエンジン、ＰＬＺＴエンジン等がある。搬送経路に沿って、多数の搬送ローラ１５が配置されており、ペーパーＰは搬送ローラ１５により搬送される。現像処理部１６は、画像が焼付露光されたペーパーＰの現像処理を行う。現像処理が行われたペーパーＰは、乾燥処理が施され、ペーパー排出部１７から仕上がりの写真プリントが排出される。
【００２６】
写真処理システムの全体を制御するコントローラ３０を備えている。画像処理装置１１において処理された画像データは、コントローラ３０の指令に基づき、露光エンジン１４に転送される。コントローラ３０には、モニター３１とキーボード３２が接続されている。モニター３１には、スキャナーＡにより読み取られた画像がモニター画面に表示される。オペレータは、この画面を見ながら処理に必要な種々の作業を行う。キーボード３２やその他のマウス等の入力手段により、写真処理に必要なデータの入力や、各種の指令を与える。
【００２７】
＜読み取りムラ測定装置の構成＞
次に、読み取りムラ測定装置の構成について図３により説明する。図１の写真処理システムにおいて、スキャナーＡによりネガフィルムの画像を読み取っている。この読み取りは、ネガフィルムを搬送ローラ１ａ（搬送機構に相当）により一定速度で搬送させながら１ラインずつコマ画像を走査読み取りしていくものである。コマ画像を読み取る場合に、読み取り用光源であるハロゲンランプ２により照射される光量分布や、ＣＣＤラインセンサー９を構成する各ＣＣＤ素子の感度のばらつきや、その他の読み取り光学系の部品精度等により、読み取りムラが生じる。読み取りムラが存在する状態でコマ画像の読み取りを行うと、ネガフィルムに形成されているコマ画像と同じ画質の写真プリントを作成することができない。このような読み取りムラを解消するために、いわゆるシェーディング補正を行っており、読み取りムラを電子的に補正するようにしている。そこで、読み取りムラを測定して、シェーディング補正を行うべきか否かを予め判断できるように、読み取りムラ測定装置を設けている。
【００２８】
図２は、読み取りムラを測定するときに使用する基準ネガフィルムＦＫ（基準画像形成媒体に相当する。）を示す図である。基準ネガフィルムＦＫには、基準画像Ｆ１が形成されており、全面均一なグレー一色の画像が形成されている。この基準画像を読み取ることで、読み取りムラの測定と判定を行うことができる。
【００２９】
図３に示すように、読み取りムラ測定装置の中核を構成する読み取りムラ測定プログラム２０が設けられており、写真処理システムに組み込まれているコンピュータにインストールされている。スキャナーＡにより取り込まれた基準画像の画像データは、メモリ２２に一旦保存される。コマ画像を読み取る時の主走査方向が図２に矢印Ｃで示されている。この主走査方向に沿った走査読み取りを繰り返して行うことで、コマ画像全体の画像データを取得することができる。
【００３０】
原データ取得手段２０ａは、メモリ２２に保存している画像データを用いて、走査方向に沿った原測定データを取得する。原測定データは、主走査方向に沿った１ライン分の画像データである。特定の１ライン分の画像データを選択して、原測定データとしてもよいが、正確を期するために、複数ライン分の画像データを抽出して平均値を求め、この平均値でもって原測定データとすることが好ましい。原測定データは、図４のＷ１に示すように、ノイズ成分を含んだ曲線で示される。補正データ取得手段２０ｂは、原測定データに含まれるノイズ成分を除去した補正測定データを取得する。補正測定データは、図４のＷ２に示すように、高周波成分が除去された補正曲線として示される。
【００３１】
区間設定手段２０ｃは、曲線Ｗ２の変化率を求めるときの区間を設定する機能を有しており（詳細は後述）、補正曲線Ｗ２の変化率を求めると、変化率演算手段２０ｄの機能により、補正曲線Ｗ２の微分曲線Ｗ３が得られる。判定手段２０ｅは、微分曲線Ｗ３に基づいて、補正曲線Ｗ２の変化率の大きさを予め設定したしきい値と比較判断する。しきい値は、しきい値記憶部２１にデータが記憶されている。しきい値の値は、設定変更することも可能である。比較判断した結果は、表示処理手段２０ｆによりモニター画面３１に表示されるように処理される。
【００３２】
＜画面構成例＞
次に、図３に示す読み取りムラ測定装置を用いて測定を行うときのモニター画面の画面構成例を図４により説明する。第１測定データ表示枠４０は、主走査方向に沿った原測定データがプロットされて表示される。原測定データは、高周波成分を含む曲線Ｗ１として表示される。第２測定データ表示枠４１は、原測定データに含まれる高周波成分を除去した補正測定データがプロットされて表示される。この補正測定データは、ノイズ成分が除去された補正曲線Ｗ２として表示される。第３測定データ表示枠４２には、補正曲線Ｗ２の変化率を表わす微分曲線Ｗ３が表示される。
【００３３】
各表示枠４０，４１，４２において、横軸は主走査方向における画素位置（ラインセンサーを構成するＣＣＤ画素の位置）に対応する。表示枠４０，４１において、縦軸は、読み取った画素の濃度値あるいは輝度値として表わされる。表示枠４２において、縦軸は、補正曲線Ｗ２の変化率の値を示す。変化率が０であれば、補正曲線Ｗ２は変化がない（水平部分あるいは極値となっている）ことを示している。スキャナーＡにより読み取られる画像データは、カラー画像データであるので、データもＲ，Ｇ，Ｂの３色分のデータが存在するが、図４では、そのうちの１色分のデータのみが表示されている。
【００３４】
図５により、微分曲線Ｗ３を演算する方法を説明する。図５には、補正曲線Ｗ２が示されている。ここで画素位置Ｇ１における変化率を求める方法を説明する。Ｄで示されるのは、区間設定手段２０ｃにより設定された区間を示す。この区間の長さは、５画素分の長さを有している。区間の長さは、別途設定することが可能であり、５画素に限定されるものではない。区間Ｄに含まれる５画素を用いて、近似直線Ｌ１を最小二乗法により求める。この近似直線の勾配が画素位置Ｇ１における変化率（ただし、近似値）となる。同じ方法で主走査方向におけるすべての画素位置における変化率を求めることができる。求められたすべての変化率をプロットすれば、微分曲線Ｗ３を得ることができる。
【００３５】
図４に戻り、データ値表示枠４３には、原測定データの３色カラーデータの数値が示される。Ｒ（赤）のデータ値表示欄４３Ｒ、Ｇ（緑）のデータ値表示欄４３Ｇ、Ｂ（青）のデータ値表示欄４３Ｂからなり、画素数分のデータ値が表示される。基準画像を走査読み取りすると、データ値表示枠４３に表示されているような数値データが取得され、ボタン４４をクリックすることで、第１測定データ表示枠４０にグラフとして表示させることができる。目盛り設定部４５は、各表示枠４０，４１，４２における縦軸・横軸の目盛を設定することができる。
【００３６】
ボタン４６は、移動平均ボタンであり、原測定データからノイズ成分を除去した補正測定データを演算するためのボタンである。ノイズ成分の除去は、移動平均という手法を用いて行われる。入力欄４７は、移動平均の幅を設定するための欄である。ノイズ成分の周波数などを考慮して、適切な数値を入力することができる。幅の数値を入力して、移動平均ボタン４６をクリックすることで、補正測定データが演算される。また、グラフボタン４８をクリックすることで、演算された補正測定データが第２測定データ表示枠Ｗ２にプロットされ、補正曲線Ｗ２として表示される。
【００３７】
ボタン４９は、図５で説明したような近似直線を求めるためのボタンである。入力欄５０は、区間設定手段２０ｃとして機能し、区間Ｄの幅を設定する。図５で説明した例では、５画素分の長さの区間が設定されていたが、この入力欄５０に入力する数値を変更することで、区間Ｄの長さを変更することができる。ボタン５１をクリックすると、第３測定データ表示枠４２に微分曲線Ｗ３がプロットされ表示される。目盛り設定部５２は、微分曲線Ｗ３を表示させるときの縦軸の目盛りを設定するための入力欄である。
【００３８】
曲線選択枠５３は、チェックボックスであり、Ｒ，Ｇ，Ｂの３色分が用意されている。３色分の曲線をすべて表示させたい場合は、すべてのチェックボックスにチェックを入れればよい。特定の色の曲線のみを表示させたい場合は、その色についてのみチェックを入れればよい。
【００３９】
なお、図４の画面構成例では、図示されていないが、変化率の値が予め設定したしきい値を超えている場合は、それを表示させることができる。例えば、しきい値として±０．１を設定している場合、この数値を超えている部分の曲線の色を変えるなどして、表示させることができる。これにより、オペレータは、変化率の値がしきい値を超えていることを容易に確認することができる。
【００４０】
＜読み取りムラ測定手順＞
次に、読み取りムラの測定手順を図６のフローチャートにより説明する。まず、スキャナーＡに基準ネガフィルムをセットする（＃１）。次に、基準ネガフィルムを一定速度で搬送させながら、基準画像の走査読み取りを行う（＃２）。読み取った画像データは、メモリ２２に保存される（＃３）。
【００４１】
次に、取得した画像データに基づいて、原測定データを取得し、曲線Ｗ１を表示枠４０に表示させる（＃４）。次に、移動平均の幅を設定し、ボタン４６をクリックすることで、移動平均を行い、ノイズ成分を除去した補正測定データを取得する。そして、グラフ表示ボタン４８をクリックすることで、補正曲線Ｗ２を表示枠４１に表示させる（＃５）。
【００４２】
次に、区間Ｄの長さを設定し、ボタン４９をクリックすると、最小二乗法により、区間内の近似直線を求め、その近似直線の勾配（変化率）を得る。グラフ表示ボタン５１をクリックすると、表示枠４２に微分曲線Ｗ３が表示される。この微分曲線Ｗ３に基づいて、変化率がしきい値を超えているか否かを判定する（＃７）。判定は、判定手段２０ｄの機能に基づいて、自動的に行ってもよいし、表示枠４２に表示された微分曲線Ｗ３を見ながらオペレータが行っても良い。しきい値を超えている場合は、シェーディング補正を行うなどの対処を行う（＃８）。シェーディング補正の具体的な方法は、公知の方法に基づいて行うことができる。
【００４３】
以上のような構成によれば、読み取りムラを変化率に基づいて判断するので、より正確な判断を行うことができる。補正曲線Ｗ２における数値の大小は、基準画像の濃度値（あるいは輝度値）を表わしているので、これのみで読み取りムラを判定することも可能である。つまり、補正曲線Ｗ２における最大値Ｐ１と最小値Ｐ２を求め、これらの差（Ｐ１−Ｐ２）の大きさに基づいて判定することも可能であるが、正確さに欠ける面がある。同じ差であったとしても、最大値から最小値への変化が緩やかな場合と急激に変化する場合とでは、急激に変化する方が、目立ち易くなり、画質に対して悪影響を及ぼすと考えられる。そこで、最大値と最小値の差のみではなく、変化率も考慮することで正確な判定を行うことができる。
【００４４】
＜別実施形態＞
本実施形態では、主走査方向についての読み取りムラの測定を説明したが、副走査方向についても同様に行うことができる。また、基準画像としてグレー１色の画像に限定されるものではなく、グレー以外の色等で構成してもよい。
【００４５】
シート状画像形成媒体として、写真フィルムを説明したが、これ以外の写真プリントや任意の印刷物の画像を読み取るスキャナーについても本発明を応用することができる。
【００４６】
ノイズ成分を除去する方法として、移動平均を説明したが、これ以外の方法でノイズを除去してもよい。
【図面の簡単な説明】
【００４７】
【図１】写真処理システムの構成を示す模式図
【図２】基準ネガフィルムを示す図
【図３】読み取りムラ測定装置の構成を示す模式図
【図４】読み取りムラの測定結果を表示する画面構成例を示す図
【図５】微分曲線を求める演算手法を説明する図
【図６】読み取りムラ測定を行うときの手順を示すフローチャート
【符号の説明】
【００４８】
１        ネガキャリア
２０      読み取りムラ測定プログラム
２０ａ    原データ取得手段
２０ｂ    補正データ取得手段
２０ｃ    区間設定手段
２０ｄ    変化率演算手段
２０ｅ    判定手段
２０ｆ    表示処理手段
２１      しきい値記憶部
２２      メモリ
４０      第１測定データ表示枠
４１      第２測定データ表示枠
４２      第３測定データ表示枠
Ａ        スキャナー
Ｗ１      曲線
Ｗ２      補正曲線
Ｗ３      微分曲線
【図１】
2006080608.tif 000003
【図２】
2006080608.tif 000004
【図３】
2006080608.tif 000005
【図４】
2006080608.tif 000006
【図５】
2006080608.tif 000007
【図６】
2006080608.tif 000008